【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
画像を暗号化する画像暗号化装置であって、
第１の画像を構成する色信号群を第１のプロファイルに基づいて、当該第１の画像を供給するデバイスに依存しない色信号群に変換する第１の変換手段と、
当該第１の変換手段による色信号群を、前記第１のプロファイルとは異なる暗号化を行うための第２のプロファイルに基づいて、前記第１の画像とは異なる第２の画像を構成する色信号群に変換する第２の変換手段と
を備えることを特徴とする画像暗号化装置。
【請求項２】
前記第１の変換手段は、前記第１の画像を構成するＲＧＢの各色信号を、ｓＲＧＢのプロファイルに基づいて変換することを特徴とする請求項１に記載の画像暗号化装置。
【請求項３】
前記第２の変換手段は、前記第２のプロファイルに基づいたガンマ変換ＬＵＴと、所定の変換マトリクスとを用いて、前記第１の変換手段による色信号群を、前記第２の画像を構成する色信号群に変換することを特徴とする請求項１または２に記載の画像暗号化装置。
【請求項４】
請求項１乃至３のいずれか１項に記載の画像暗号化装置によって暗号化された画像を復号する復号装置であって、
前記第２のプロファイルに基づいて前記第２の画像を変換し、前記第１の画像を供給するデバイスに依存しない色信号群に変換する変換手段と、
当該変換手段による色信号群に基づいた出力画像データを生成し、画像形成装置に出力する出力手段と
を備えることを特徴とする復号装置。
【請求項５】
画像を暗号化する画像暗号化方法であって、
第１の画像を構成する色信号群を第１のプロファイルに基づいて、当該第１の画像を供給するデバイスに依存しない色信号群に変換する第１の変換工程と、
当該第１の変換工程による色信号群を、前記第１のプロファイルとは異なる暗号化を行うための第２のプロファイルに基づいて、前記第１の画像とは異なる第２の画像を構成する色信号群に変換する第２の変換工程と
を備えることを特徴とする画像暗号化方法。
【請求項６】
請求項５に記載の画像暗号化方法によって暗号化された画像を復号する復号方法であって、
前記第２のプロファイルに基づいて前記第２の画像を変換し、前記第１の画像を供給するデバイスに依存しない色信号群に変換する変換工程と、
当該変換工程による色信号群に基づいた出力画像データを生成し、画像形成装置に出力する出力工程と
を備えることを特徴とする復号方法。
【請求項７】
コンピュータを請求項１乃至３のいずれか１項に記載の画像暗号化装置として機能させるプログラム。
【請求項８】
コンピュータを請求項４に記載の復号装置として機能させるプログラム。
【請求項９】
コンピュータに請求項５に記載の画像暗号化方法を実行させるためのプログラム。
【請求項１０】
コンピュータに請求項６に記載の復号方法を実行させるためのプログラム。
【請求項１１】
画像を暗号化する画像暗号化装置であって、
第１の画像を構成する色信号群を、第１のプロファイルに基づいて、デバイスに依存しない第１の色信号群に変換する第１の変換手段と、
当該第１の色信号群を、前記第１のプロファイルとは異なる第２のプロファイルに基づいて、画像形成装置の色空間の色信号群に変換する第２の変換手段と、
当該第２の変換手段による色信号群を、前記第１および第２のプロファイルとは異なる暗号化を行うための第３のプロファイルに基づいて、第２の色信号群に変換する第３の変換手段と、
当該第２の色信号群を、前記第１のプロファイルに基づいて、前記第１の変換手段による変換の逆変換を行うことで、第２の画像を構成する色信号群に変換する第４の変換手段と
を備えることを特徴とする画像暗号化装置。
【請求項１２】
前記第３の変換手段は、前記第３のプロファイルに基づいた画像形成装置の色空間の色信号群であるＲＧＢ色信号に対応する前記第２の色信号群を表現するための３次元ＬＵＴを用いて、画像形成装置の色空間の色信号群を、前記第２の色信号群に変換することを特徴とする請求項１１に記載の画像暗号化装置。
【請求項１３】
請求項１１または１２のいずれか１項に記載の画像暗号化装置によって暗号化された画像を復号化する復号装置であって、
前記第２の画像を構成する色信号群を、前記第１のプロファイルに基づいて、第３の色信号群に変換する第４の変換手段と、
当該第３色信号群を前記第３のプロファイルに基づいて、画像形成装置の色空間の色信号群に変換する第５の変換手段と、
当該第５の変換手段による色信号に基づいた出力画像データを生成し、画像形成装置に出力する出力手段と
を備えることを特徴とする復号装置。
【請求項１４】
画像を暗号化する画像暗号化方法であって、
第１の画像を構成する色信号群を、第１のプロファイルに基づいて、デバイスに依存しない第１の色信号群に変換する第１の変換工程と、
当該第１の色信号群を、前記第１のプロファイルとは異なる第２のプロファイルに基づいて、画像形成装置の色空間の色信号群に変換する第２の変換工程と、
当該第２の変換工程による色信号群を、前記第１および第２のプロファイルとは異なる暗号化を行うための第３のプロファイルに基づいて、第２の色信号群に変換する第３の変換工程と、
当該第２の色信号群を、前記第１のプロファイルに基づいて、前記第１の変換工程での変換の逆変換を行うことで、第２の画像を構成する色信号群に変換する第４の変換工程と
を備えることを特徴とする画像暗号化方法。
【請求項１５】
請求項１４に記載の画像暗号化方法によって暗号化された画像を復号化する復号方法であって、
前記第２の画像を構成する色信号群を、前記第１のプロファイルに基づいて、第３の色信号群に変換する第４の変換工程と、
当該第３色信号群を前記第３のプロファイルに基づいて、画像形成装置の色空間の色信号群に変換する第５の変換工程と、
当該第５の変換工程による色信号に基づいた出力画像データを生成し、画像形成装置に出力する出力工程と
を備えることを特徴とする復号方法。
【請求項１６】
コンピュータを請求項１１または１２に記載の画像暗号化装置として機能させるプログラム。
【請求項１７】
コンピュータを請求項１３に記載の復号装置として機能させるプログラム。
【請求項１８】
コンピュータに請求項１４に記載の画像暗号化方法を実行させるためのプログラム。
【請求項１９】
コンピュータに請求項１５に記載の復号方法を実行させるためのプログラム。
【請求項２０】
画像を暗号化する画像暗号化装置であって、
第１の画像を構成する色信号群を第１のプロファイルに基づいて、画像形成装置の色空間の色信号群に変換する第１の変換手段と、
当該第１の変換手段による色信号群を、前記第１のプロファイルとは異なる暗号化を行うための第２のプロファイルに基づいて、前記第１の画像とは異なる第２の画像を構成する色信号群に変換する第２の変換手段と
を備えることを特徴とする画像暗号化装置。
【請求項２１】
前記第１の変換手段は、前記第１の画像を構成するＲＧＢの各色信号を、離散的な入力色信号ＲＧＢに対応する色信号ＣＭＹＫの３次元ＬＵＴとしての統合プロファイルに基づいて変換することを特徴とする請求項１に記載の画像暗号化装置。
【請求項２２】
前記第２の変換手段は、画像形成装置の色空間の色信号群を、離散的な色信号ＣＭＹＫに対応する色信号ＲＧＢの３次元ＬＵＴとしての前記第２のプロファイルに基づいて変換することを特徴とする請求項２０または２１に記載の画像暗号化装置。
【請求項２３】
請求項２０乃至２２のいずれか１項に記載の画像暗号化装置によって暗号化された画像を復号する復号装置であって、
前記第２のプロファイルに基づいて前記第２の画像を変換し、画像形成装置の色空間の色信号群に変換する変換手段と、
当該変換手段による色信号群に基づいた出力画像データを生成し、画像形成装置に出力する出力手段と
を備えることを特徴とする復号装置。
【請求項２４】
画像を暗号化する画像暗号化方法であって、
第１の画像を構成する色信号群を第１のプロファイルに基づいて、画像形成装置の色空間の色信号群に変換する第１の変換工程と、
当該第１の変換工程による色信号群を、前記第１のプロファイルとは異なる暗号化を行うための第２のプロファイルに基づいて、前記第１の画像とは異なる第２の画像を構成する色信号群に変換する第２の変換工程と
を備えることを特徴とする画像暗号化方法。
【請求項２５】
請求項２４に記載の画像暗号化方法によって暗号化された画像を復号する復号方法であって、
前記第２のプロファイルに基づいて前記第２の画像を変換し、画像形成装置の色空間の色信号群に変換する変換工程と、
当該変換工程による色信号群に基づいた出力画像データを生成し、画像形成装置に出力する出力工程と
を備えることを特徴とする復号方法。
【請求項２６】
コンピュータを請求項２０乃至２２のいずれか１項に記載の画像暗号化装置として機能させるプログラム。
【請求項２７】
コンピュータを請求項２３に記載の復号装置として機能させるプログラム。
【請求項２８】
コンピュータに請求項２４に記載の画像暗号化方法を実行させるためのプログラム。
【請求項２９】
コンピュータに請求項２５に記載の復号方法を実行させるためのプログラム。
【請求項３０】
請求項７乃至１０、及び請求項１６乃至１９、及び請求項２６乃至２９のいずれか１項に記載のプログラムを格納する記憶媒体。